(57)【要約】【課題】簡便な構成で、対象物の位置情報を取得可能なロケーション通知システムを提供する。【解決手段】ロケーション通知システム１は、対象物Ｌが所定距離内に近づいた場合に、対象物Ｌに関連付けられた送信器からの識別信号を読み取り可能な読取装置２と、読取装置と通信可能な制御部４と、を備えている。制御部４は、読取装置２の位置情報と、読取装置２によって読み取られた識別信号とを取得し、位置情報と識別信号に基づいて対象物Ｌに関する対象物情報を生成し、対象物情報を対象物Ｌに関連付けられた特定のユーザに関連付けられた第一外部機器３に送信するように構成されている。【選択図】図１
2019144952.tif 000002
【特許請求の範囲】
【請求項１】
対象物が所定距離内に近づいた場合に、前記対象物に関連付けられた送信器からの識別信号を読み取り可能な読取装置と、
前記読取装置と通信可能な制御部と、
を備えたロケーション通知システムであって、
前記制御部は、前記読取装置の位置情報と、前記読取装置によって読み取られた前記識別信号とを取得し、前記位置情報と前記識別信号に基づいて前記対象物に関する対象物情報を生成し、前記対象物情報を前記対象物に関連付けられた特定のユーザに関連付けられた第一外部機器に送信するように構成されている、ロケーション通知システム。
【請求項２】
前記読取装置は、住居に取り付けられたドアベル、地域の各所に設置された自動販売機およびセキュリティポール、および人々が携帯する携帯情報端末の少なくとも一つに搭載されている、請求項１に記載のロケーション通知システム。
【請求項３】
前記送信器は、前記識別信号を有する携帯タグ、または前記携帯タグが組み込まれた情報端末を含む、請求項１または２に記載のロケーション通知システム。
【請求項４】
前記携帯タグは、Ｂｌｕｅｔｏｏｔｈタグ、ＲＦＩＤタグ、ＷｉＦｉタグ、ＺｉｇＢｅｅタグ、およびセルラデータタグのうちの少なくとも１つを含む、請求項３に記載のロケーション通知システム。
【請求項５】
前記対象物情報は、前記対象物の現在位置、前記対象物の移動経路、前記対象物が前記移動経路を通過した時刻の少なくとも１つを含む、請求項１から４のいずれか一項に記載のロケーション通知システム。
【請求項６】
前記第一外部機器は、前記対象物情報と地図情報とが組み合わされたデータを表示可能である、請求項１から５のいずれか一項に記載のロケーション通知システム。
【請求項７】
前記対象物は、前記ユーザに関連付けられた人、動物および配達物の少なくとも１つを含む、請求項１から６のいずれか一項に記載のロケーション通知システム。
【請求項８】
前記読取装置は、各住居に取り付けられた複数のドアベルに搭載されており、
前記制御部は、前記対象物情報が所定条件を満たした場合に、前記複数のドアベルのうち前記対象物から所定範囲内に位置するドアベルの所有者に関連付けられた第二外部機器に、前記対象物情報を送信するように構成されている、請求項１から７のいずれか一項に記載のロケーション通知システム。
【請求項９】
前記所定条件は、前記対象物が予め設定された経路を通過していない場合を含む、請求項８に記載のロケーション通知システム。
【発明の詳細な説明】
【技術分野】
【０００１】
本発明は、ロケーション通知システムに関する。
【背景技術】
【０００２】
スピーカと、マイクと、カメラと、操作部を備え、遠隔配置されるコンピューティング・デバイスと無線通信可能なＷＩＦＩドアベルが知られている（特許文献１等参照）。
【先行技術文献】
【特許文献】
【０００３】
【特許文献１】米国特許第９０９４５８４号明細書
【特許文献２】米国特許第８８７２９１５号明細書
【特許文献３】米国特許第９２３７３１８号明細書
【特許文献４】米国特許第８１４４１８３号明細書
【特許文献５】米国特許第９４３２６３８号明細書
【特許文献６】米国特許第９４８５４７８号明細書
【特許文献７】米国特許第９５１６２８４号明細書
【発明の概要】
【発明が解決しようとする課題】
【０００４】
近年は、核家族などが増え、地域の防犯力が弱まっていると言われているため、子供や高齢者などを保護者が見守るためのサービスが求められている。
【０００５】
そこで、本発明は、簡便な構成で、対象物の位置情報を取得可能なロケーション通知システムを提供することを目的とする。
【課題を解決するための手段】
【０００６】
上記目的を達成するために、本発明のロケーション通知システムは、
対象物が所定距離内に近づいた場合に、前記対象物に関連付けられた送信器からの識別信号を読み取り可能な読取装置と、
前記読取装置と通信可能な制御部と、
を備えたロケーション通知システムであって、
前記制御部は、前記読取装置の位置情報と、前記読取装置によって読み取られた前記識別信号とを取得し、前記位置情報と前記識別信号に基づいて前記対象物に関する対象物情報を生成し、前記対象物情報を前記対象物に関連付けられた特定のユーザに関連付けられた第一外部機器に送信するように構成されている。
【０００７】
上記構成によれば、簡便な構成で、対象物情報として例えば子供や高齢者の現在位置や移動経路に関する位置情報を生成して保護者に知らせることができる。
【０００８】
また、上記ロケーション通知システムにおいて、
前記読取装置は、住居に取り付けられたドアベル、地域の各所に設置された自動販売機およびセキュリティポール、および人々が携帯する携帯情報端末の少なくとも一つに搭載されていてもよい。
【０００９】
上記構成によれば、自らの位置情報を取得可能な機能を備えた機器（ドアベル、自動販売機、セキュリティポール、スマートフォンなど）に読取装置を搭載することで、対象物情報を容易に生成することができる。
【００１０】
また、上記ロケーション通知システムにおいて、
前記送信器は、前記識別信号を有する携帯タグ、または前記携帯タグが組み込まれた情報端末を含んでもよい。
【００１１】
上記構成によれば、対象物に携帯タグを所持させることで、対象物情報を容易に生成することができる。
【００１２】
また、上記ロケーション通知システムにおいて、
前記携帯タグは、Ｂｌｕｅｔｏｏｔｈタグ、ＲＦＩＤタグ、ＷｉＦｉタグ、ＺｉｇＢｅｅタグ、およびセルラデータタグのうちの少なくとも１つを含んでもよい。
【００１３】
対象物に所持させる携帯タグとしては、上記のものを用いることが好ましい。
【００１４】
また、上記ロケーション通知システムにおいて、
前記対象物情報は、前記対象物の現在位置、前記対象物の移動経路、前記対象物が前記移動経路を通過した時刻の少なくとも１つを含んでもよい。
【００１５】
この構成によれば、対象物の現在位置や移動経路に関する情報を特定のユーザが認識することができるため、対象物の見守りを支援することができる。
【００１６】
また、上記ロケーション通知システムにおいて、
前記第一外部機器は、前記対象物情報と地図情報とが組み合わされたデータを表示可能であってもよい。
【００１７】
この構成によれば、例えば、対象物の移動経路や時刻を情報機器に表示された地図上に表示することで、ユーザが対象物に関する情報を容易に把握することができる。
【００１８】
また、上記ロケーション通知システムにおいて、
前記対象物は、前記ユーザに関連付けられた人、動物および配達物の少なくとも１つを含んでもよい。
【００１９】
この構成によれば、例えば、子供、高齢者、ペット等の見守りや、盗難等された配達物の追尾を容易に行うことができる。
【００２０】
また、上記ロケーション通知システムにおいて、
前記読取装置は、各住居に取り付けられた複数のドアベルに搭載されており、
前記制御部は、前記対象物情報が所定条件を満たした場合に、前記複数のドアベルのうち前記対象物から所定範囲内に位置するドアベルの所有者に関連付けられた第二外部機器に、前記対象物情報を送信するように構成されていてもよい。
【００２１】
また、上記ロケーション通知システムにおいて、
前記所定条件は、前記対象物が予め設定された経路を通過していない場合を含んでもよい。
【００２２】
これらの構成によれば、例えば、対象物が決められた道順通りに移動していない場合に、ドアベルの所有者に対して注意喚起を行うことで、防犯力の向上に寄与することができる。
【発明の効果】
【００２３】
本発明によれば、簡便な構成で、対象物の位置情報を取得可能なロケーション通知システムを提供することができる。
【図面の簡単な説明】
【００２４】
【図１】本発明の実施形態に係るロケーション通知システムの構成を示す図である。
【図２】図１のロケーション通知システムが備えるドアベルおよびサーバの構成を示す機能ブロック図である。
【図３】図１のロケーション通知システムが備える情報端末の構成を示す図である。
【図４】図１のロケーション通知システムにより実行されるロケーション通知機能の動作を説明するためのフローチャートである。
【図５】サーバの記憶部に記憶される情報テーブルの一例を示す図である。
【図６】ロケーション通知情報を表示するための情報端末の画面の例を示す図である。
【発明を実施するための形態】
【００２５】
以下、本実施形態の一例について、図面を参照して説明する。
図１は、本実施形態に係るロケーション通知システムの構成を示す図である。
図１に示すように、ロケーション通知システム１は、複数のドアベル２−１〜２−ｎと、複数の情報端末３−１〜３−ｎと、サーバ４と、ＩＣタグ５（送信器、携帯タグの一例）と、を含む。複数のドアベル２−１〜２−ｎと、複数の情報端末３−１〜３−ｎとは、ネットワークＮを介して、外部ネットワーク上にあるサーバ４と通信可能である。各ドアベル２−１〜２−ｎおよび各情報端末３−１〜３−ｎとネットワークＮを中継する通信機器としては、例えば、Ｗｉ−Ｆｉルータが用いられ得る。以下では、複数のドアベル２−１〜２−ｎのうちドアベル２−１（以下、ドアベル２と称す場合もある。）について代表して説明する。また、複数の情報端末３−１〜３−ｎのうち情報端末３−１（以下、情報端末３と称す場合もある。）について代表して説明する。
【００２６】
ＩＣタグ５は、ドアベル２の近傍を通行する通行人のうち特定の通行人が携帯する電子タグである。特定の通行人とは、見守りが必要な対象者（以下、対象通行人Ｌと称す）を指し、例えば子供や老人である。ＩＣタグ５は、例えば、対象通行人Ｌが携帯するＩＣカードや衣服、携帯電話等に組み込まれている。ＩＣタグ５は、例えば、Ｂｌｕｅｔｏｏｔｈ（登録商標）タグ、ＲＦＩＤタグ、ＷｉＦｉタグ、ＺｉｇＢｅｅタグ、およびセルラデータタグ等のいずれかから構成される。ＩＣタグ５には、固有の識別情報（以下、タグＩＤ情報と称す。）が埋め込まれており、電磁界や電波などを用いて近距離無線通信（数ｃｍ〜数ｍ程度）で当該タグＩＤ情報をリーダ（本例では、ドアベル２）に送信可能である。
【００２７】
図２は、ドアベル２およびサーバ４の構成を示す機能ブロック図である。
ドアベル２は、来訪者が居住者を呼び出して通話するためなどに用いられるものであり、例えば各建物（戸建住戸など）の玄関等に設置されている。本例では、複数のドアベル２−１〜２−ｎは、ある所定の範囲（所定の地域）内にある各建物の玄関に設置されているものとする。各ドアベル２は、取り付けられる建物の電力システムと所定の配線により電気的に接続されることで、当該電力システムから電力が供給される。なお、ドアベル２は、バックアップおよび／または一次電源用の電池を含んでも良い。
【００２８】
図２に示すように、ドアベル２は、制御部２１と、操作部２２と、マイク２３と、スピーカ２４と、人感センサ２５と、カメラ２６と、画像処理部２７と、位置情報取得部２８と、タグ情報読取部２９と、インターフェース回路（以下、インターフェース回路を「Ｉ／Ｆ」と称す）３０とを備えている。
【００２９】
制御部２１は、ドアベル２の各部の動作を制御するための制御部であり、１以上のプロセッサと１以上のメモリを含む少なくとも一つのマイクロコントローラと、トランジスタ等のアクティブ素子およびパッシブ素子を含むその他電子回路を含んでもよい。プロセッサは、メモリに記憶されたドアベル制御プログラムから指定されたプログラムを読出し、メモリとの協働で各種処理を実行するように構成されてもよい。
【００３０】
操作部２２は、例えば来訪者の各種入力操作を受け付けるための呼出ボタンである。各種入力操作には、例えば、居住者の呼出等が含まれる。マイク２３およびスピーカ２４は、居住者が所有する端末、例えば、ドアベル２が設置された建物の居住者が所有する情報端末３−１に向けて来訪者側のメッセージ等の音声データを送出したり、来訪者に向けて居住者側のメッセージ等の音声データを出力するための通話部を構成する。
【００３１】
人感センサ２５は、ドアベル２の前方にいる人物を検知するためのセンサであり、例えば赤外線センサで構成されている。人感センサ２５は、制御部２１を介して、カメラ２６に接続されている。人感センサ２５は、人物を検知したことを知らせる検出信号をカメラ２６へそれぞれ出力する。カメラ２６は、来訪者等の人物を撮像するための撮像機器である。カメラ２６は、ウェブカメラであるビデオカメラとして構成しても良い。例えば、カメラ２６は、人感センサ２５から出力される検出信号に基づいてそれぞれ起動する。カメラ２６が撮像した画像は、画像処理部２７へ出力される。画像処理部２７は、例えば、プロセッサとメモリから構成されており、制御部２１の制御信号に基づいて、カメラ２６から取得した画像データを、Ｉ／Ｆ３０を介してサーバ４へ送信する。
【００３２】
位置情報取得部２８は、ドアベル２の位置情報を取得するように構成されている。位置情報は、例えば、ＧＰＳ（Ｇｌｏｂａｌ  Ｐｏｓｉｔｉｏｎｉｎｇ  Ｓｙｓｔｅｍ）を用いて取得される。なお、ドアベル２を建物に設置する際の初期設定時に、居住者によって、ドアベル２の位置情報が位置情報取得部２８に予め登録されてもよい。制御部２１は、位置情報取得部２８により取得された位置情報を、サーバ４へ送信するように構成されている。なお、ドアベル２の位置情報が更新された場合には、制御部２１は、更新された位置情報をサーバ４へ送信し得る。
【００３３】
タグ情報読取部２９は、ドアベル２から所定の範囲内に位置しているＩＣタグ５のタグＩＤ情報を読み取り可能に構成されている。タグ情報読取部２９は、例えば、Ｂｌｕｅｔｏｏｔｈ、ＲＦＩＤ、ＷｉＦｉ、ＺｉｇＢｅｅ、セルラデータ等の近距離無線通信用のアンテナを備えている。制御部２１は、タグ情報読取部２９により読み取られたタグＩＤ情報を、サーバ４へ送信するように構成されている。
【００３４】
Ｉ／Ｆ３０は、ネットワークＮを介して、サーバ４と通信可能である。具体的には、Ｉ／Ｆ３０は、無線ローカルエリアネットワーク（ＬＡＮ）、ラジオ、セルラー、インターネット、Ｂｌｕｅｔｏｏｔｈ、電磁波、赤外線光、音波、およびマイクロ波等のネットワーク通信手段により、サーバ４と通信可能である。このように、ドアベル２は、サーバ４に対して所定のデータ（例えば、音声データや画像データ）を送信し、来訪者と、情報端末３−１のユーザ（ドアベル２が設置された住居の居住者）との間での双方向音声通話等による通信を開始することができる。なお、ドアベル２のＩ／Ｆ３０は、情報端末３−１〜３−ｎと直接通信可能に構成されてもよい。
【００３５】
図３は、複数の情報端末３−１〜３−ｎのうち、ドアベル２が設置された住居の居住者が所有する端末である情報端末３−１の概略構成を示す図である。
情報端末３−１は、例えば、ドアベル２からの呼び出しに、ドアベル２が設置された住居の居住者が応答するために用いられる機器である。情報端末３−１は、例えば、居住者が所有するスマートフォン、タブレットコンピュータ、およびその他の携帯情報端末を含む。ドアベル２と情報端末３−１とは、サーバ４を介して通信可能である。
【００３６】
情報端末３−１は、図３に示すように、所定のユーザ・インターフェース３２を表示可能な表示部３１を有している。表示部３１は、液晶ディスプレイ、有機ＥＬディスプレイ等のタッチスクリーン型のディスプレイであって、画像（操作画像等）を表示するように構成されている。情報端末３−１は、ドアベル２から送信されたデータに基づいて、所定のコンピュータソフトウェア（例えば、音声通話および画像表示用のアプリケーションソフトウェア）を実行する。例えば、情報端末３−１は、表示部３１上に表示されるユーザ・インターフェース３２への入力に基づいて所定のアプリケーションソフトウェアを実行することができる。ユーザ・インターフェース３２は、ドアベル２が備えるカメラ２６により撮像された前方領域の画像データに基づいて、静止画または動画の表示画像が表示される画像表示部３４を含む。また、ユーザ・インターフェース３２は、来訪者の呼出に応答することをユーザに許可させるための応答許可受付部３６を含む。ユーザが、応答許可受付部３６をタッチすることで、来訪者の呼出に応答するために、双方向音声通信が開始される。また、ユーザ・インターフェース３２は、画像表示部３４に表示された表示画像の録画をユーザに選択させるための録画受付部３８を含む。ユーザが、当該録画受付部３８をタッチすることで、画像表示部３４に表示される表示画像の録画が可能である。
【００３７】
図２に示すように、サーバ４は、記憶部４０と、制御部４２とを備えている。記憶部４０は、例えば、ＲＯＭとＲＡＭを含むメモリから構成されている。制御部４２は、例えば、１以上のプロセッサと１以上のメモリを含む少なくとも一つのマイクロコントローラと、トランジスタ等のアクティブ素子およびパッシブ素子を含むその他電子回路から構成されている。また、制御部４２は、集積回路（ハードウェア資源）によって構成されてもよく、少なくとも一つのマイクロコントローラと集積回路との組み合わせによって構成されてもよい。
【００３８】
制御部４２は、ドアベル２から送信されたデータ（画像データや音声データ）を記憶部４０へ格納するとともに、当該データを情報端末３−１へ送信可能である。また、制御部４２は、情報端末３−１から送信されたデータを記憶部４０へ格納するとともに、当該データをドアベル２へ送信可能である。このように、サーバ４は、所定のデータ（例えば、音声データや画像データ）をドアベル２および情報端末３−１との間で送受信することにより、ドアベル２が設置された建物への来訪者と情報端末３−１のユーザとの間での双方向音声通話等による通信を開始することができる。なお、上述の通り、サーバ４を介さずに、ドアベル２と情報端末３−１との間でデータを直接送受信しても良い。
【００３９】
なお、制御部４２は、ドアベル２から送信されたデータ（画像データや音声データ）を、情報端末３−２へも送信可能である。本例において、情報端末３−２は、ＩＣタグ５を携帯する対象通行人Ｌに関連付けられたユーザ（例えば、ＩＣタグ５を携帯している子供や老人の保護者）が所有する端末機器である。
【００４０】
また、サーバ４の記憶部４０には、ＩＣタグ５のタグＩＤ情報、当該タグＩＤ情報を読み取ったドアベル２のドアベルＩＤ情報、当該ドアベル２の位置情報、およびドアベル２によるタグＩＤ情報の読取時刻に関する情報を有する情報テーブル（図５参照）が記憶されている。制御部４２は、ドアベル２から受信したデータに基づいて、記憶部４０に記憶されている情報テーブルを更新し、後述のロケーション通知情報を生成可能に構成されている。
【００４１】
次に、図４〜図６を参照して、ロケーション通知システム１により実行されるロケーション通知機能の動作について説明する。
まず、ステップＳ１において、ドアベル２の制御部２１は、タグ情報読取部２９によりドアベル２から所定距離内にいる対象通行人Ｌが携帯しているＩＣタグ５のタグＩＤ情報を読み取ったか否かを判定する。タグ情報読取部２９によりタグＩＤ情報を読み取ったと判定した場合（ステップＳ１のＹｅｓ）、ステップＳ２において、制御部２１は、タグＩＤ情報を読み取った時刻を記憶する。
【００４２】
ステップＳ３において、制御部２１は、読み取ったタグＩＤ情報を、タグＩＤ情報の読取時刻、ドアベル２の識別情報（以下、ドアベルＩＤ情報と称す。）および当該ドアベル２の位置情報取得部２８により取得された位置情報とともに、Ｉ／Ｆ３０を介してサーバ４に送信する。
【００４３】
ステップＳ４において、サーバ４の制御部４２は、ドアベル２から受信したタグＩＤ情報、タグ読取時刻、ドアベルＩＤ情報、およびドアベル位置情報に基づいて、記憶部４０に記憶された情報テーブルを更新する。具体的には、ドアベルＩＤ情報、ドアベル位置情報、タグＩＤ情報およびタグ読取時刻が図５に示す情報テーブルに書き込まれる。
【００４４】
ステップＳ５において、制御部４２は、更新された情報テーブルに基づいて、タグＩＤ情報に関連付けられた対象通行人Ｌのロケーションに関する情報を示すロケーション通知情報（対象物情報の一例）を生成する。このロケーション通知情報には、対象通行人Ｌの現在位置、対象通行人Ｌの移動経路、および対象通行人Ｌが移動経路上を通過した時刻等が含まれる。なお、ロケーション通知情報にはこれらの情報のうち少なくとも１つが含まれていればよい。
【００４５】
ステップＳ６において、サーバ４の制御部４２は、タグＩＤ情報に基づき、ネットワークＮにより通信可能に接続された複数の情報端末３−１〜３−ｎのうち、対象通行人Ｌに関連付けられたユーザ（特定のユーザ）が所有する情報端末３（第一外部機器の一例）として、例えば、情報端末３−２を特定する。上述の通り、対象通行人Ｌに関連付けられたユーザとは、例えば、対象通行人Ｌの保護者である。制御部４２は、ドアベル２から受信したタグＩＤ情報を記憶部４０に予め記憶されている複数の情報端末３−１〜３−ｎに関する情報と照合することで、特定のユーザ（タグＩＤ情報に関連付けられた対象通行人Ｌの保護者など）が所有する情報端末３−２を特定することができる。
【００４６】
ステップＳ７において、制御部４２は、ステップＳ６で特定したユーザの情報端末３−２へステップＳ５で生成したロケーション通知情報を送信する。
【００４７】
ステップＳ８において、サーバ４の制御部４２からロケーション通知情報を受信した情報端末３−２は、所定のアプリケーションソフトウェアを用いて、ロケーション通知情報と地図情報とを組み合わせることにより対象通行人Ｌのロケーションに関するデータ（以下、ロケーションデータと称す。）を生成する。
【００４８】
ステップＳ９において、情報端末３−２は、当該ロケーションデータを表示部３１に表示する。図６に示すように、ロケーションデータは、地図データ上に対象通行人Ｌの現在位置ＣＰ、対象通行人Ｌの移動経路ＴＰ、および対象通行人Ｌが移動経路ＴＰ上の各地点を移動した時刻Ｔ１，Ｔ２等が重畳されたデータである。当該ロケーションデータを見ることで、情報端末３−２の所有者である、対象者通行人Ｌの保護者は、対象通行人Ｌの位置情報を把握することができる。
【００４９】
サーバ４の処理に戻り、ステップＳ１０において、サーバ４の制御部４２は、ロケーション通知情報に基づき、対象通行人Ｌが予め設定された経路（以下、設定経路と称す）を通過しているか否かを判定する。対象通行人Ｌが設定経路を通過していると判定された場合には（ステップＳ１０のＹｅｓ）、制御部４２は、対象通行人Ｌが設定経路を通過していないと判定されるまでステップＳ１０の処理を繰り返す。
【００５０】
一方、対象通行人Ｌが設定経路を通過していない、すなわち、設定経路以外の経路を移動していると判定された場合には（ステップＳ１０のＮｏ）、ステップＳ１１において、制御部４２は、アラート情報を生成する。アラート情報には、対象通行人Ｌが設定経路を通過していない旨の情報が含まれる。アラート情報には対象通行人ＬのタグＩＤ情報が含まれてもよい。
【００５１】
ステップＳ１２において、制御部４２は、複数の情報端末３−１〜３−ｎのうち対象通行人Ｌの現在位置から所定範囲内に位置するドアベル２の所有者（以下、近隣ドアベル所有者と称す。）に関連付けられた情報端末（第二外部機器の一例）を特定する。本例では、図１に示す複数の情報端末３−１〜３−ｎのうち情報端末３−１、３−３が、対象通行人Ｌの現在位置から所定範囲内に位置するものとする。
【００５２】
ステップＳ１３において、制御部４２は、ステップＳ１２で特定した情報端末３−１、３−３に、アラート情報を送信する。
【００５３】
ステップＳ１４において、情報端末３−１、３−３は、サーバ４の制御部４２から受信したアラート情報を表示部３１に表示する。情報端末３−１，３−３の表示部３１に表示されるアラート情報は、図６に示すような情報端末３−２の表示部３１に表示されるロケーションデータと同一であってもよい。表示部３１に表示された当該ロケーションデータを見ることで、情報端末３−１，３−３の所有者である近隣住民は、対象通行人Ｌの位置情報を把握することができる。なお、情報端末３−１，３−３の表示部３１に表示されるアラート情報は、図６に示すロケーションデータとは異なり、対象通行人Ｌが設定経路を通過していない旨の注意喚起情報（例えば、「対象通行人Ｌが、設定経路を通過していません。見かけた方は下記の連絡先までご連絡下さい。」といったメッセージ）を含むものであってもよい。
【００５４】
以上説明したように、本実施形態に係るロケーション通知システム１は、対象通行人Ｌが所定距離内に近づいた場合に、対象通行人Ｌに関連付けられたＩＣタグ５（送信器の一例）からのタグＩＤ情報に関連する識別信号を読み取り可能なタグ情報読取部２９を備えたドアベル２と、ドアベル２と通信可能なサーバ４と、を備えている。サーバ４は、ドアベル２の位置情報と、タグ情報読取部２９によって読み取られたタグＩＤ情報とを取得し、ドアベル位置情報とタグＩＤ情報に基づいて対象通行人Ｌに関するロケーション通知情報を生成し、ロケーション通知情報を対象通行人Ｌの保護者である特定ユーザに関連付けられた情報端末３−２に送信するように構成されている。これにより、簡便な構成で、対象通行人Ｌのロケーション通知情報に基づいて、例えば子供や高齢者の現在位置や移動経路に関するロケーションデータを生成して保護者に知らせることができ、防犯力の向上に寄与することができる。
【００５５】
また、本実施形態においては、ＩＣタグ５を対象通行人Ｌに所持させて、このＩＣタグ５のタグＩＤ情報をドアベル２のタグ情報読取部２９により読み取ることで、ロケーション通知情報を容易に生成することができる。
【００５６】
また、ロケーション通知情報は、対象通行人Ｌの現在位置、対象通行人Ｌ移動経路、対象通行人Ｌが移動経路を通過した時刻の少なくとも１つを含んでもよい。これにより、対象通行人Ｌの現在位置や移動経路に関する情報を保護者が認識することができるため、対象通行人Ｌの見守りを支援することができる。
【００５７】
また、保護者が所持する情報端末３（例えば情報端末３−２）は、ロケーション通知情報と地図情報とが組み合わされたデータを表示可能であってもよい。例えば、対象通行人Ｌの移動経路や通過時刻を情報端末３−２の表示部３１に表示された地図上に表示することで、保護者が対象通行人Ｌに関する情報を容易に把握することができる。
【００５８】
また、上記ロケーション通知システム１において、タグ情報読取部（読み取り装置の一例）は、各住居に取り付けられた各ドアベル２に搭載されており、サーバ４の制御部４２は、ロケーション通知情報が所定条件を満たした場合に、複数のドアベル２のうち対象通行人Ｌから所定範囲内に位置するドアベル２の所有者に関連付けられた情報端末３−１，３−３（第二外部機器の一例）に、アラート情報（対象物情報の一例）を送信するように構成されていてもよい。この構成によれば、ドアベル２のような自らの位置情報を取得可能な機能を備えた機器にＩＣタグ５のタグＩＤ情報を読取可能な読取装置を搭載することで、ロケーション通知情報を容易に生成することができる。また、対象通行人Ｌが設定経路に沿って移動していない場合に、近隣のドアベル２の所有者に対して注意喚起を行うことで、防犯力の向上に寄与することができる。
【００５９】
なお、タグＩＤ情報の読取装置は、自らの位置情報を取得可能な機能を備えた機器に搭載されていればよく、ドアベル２の他に、自動販売機、セキュリティポール、スマートフォンなどに搭載されてもよい。
【００６０】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００６１】
上記の実施形態では、ドアベル２の制御部２１は、ステップＳ１においてタグＩＤ情報を読み取ったと判定された場合に、ステップＳ２でタグＩＤ情報の読取時刻を記憶して、ステップＳ３でタグＩＤ情報を読取時刻、ドアベルＩＤ情報、位置情報とともにサーバ４へ送信するというフローになっているがこの例に限られない。例えば、タグＩＤ情報を読み取ったと判定された場合に、ドアベル２の制御部２１は、カメラ２６によりドアベル２の前方領域（具体的には、対象通行人Ｌ）の撮像を開始し、撮像された画像データを、タグＩＤ情報やドアベルＩＤ情報とともに、Ｉ／Ｆ３０を介してサーバ４に送信してもよい。これにより、サーバ４は、より高度なロケーションデータを生成して、特定の情報端末３に当該ロケーションデータを送信することができる。
【００６２】
また、ロケーションデータの対象物としては、子供や老人などの対象通行人Ｌに限られず、配達物等が含まれてもよい。再配達の工数やコストを削減するために、顧客不在時には配達物を配達先の住宅等の玄関先に置いておくサービスが開始されている（いわゆる、「置き配」サービス）。しかしながら、この「置き配」サービスにおいては、配達物の盗難や紛失などのおそれがある。そこで、本例を、配達物のロケーションを把握するための配達物ロケーションデータの生成に用いることで、例えば、盗難や紛失した配達物を容易に追尾することができる。また、ロケーションの対象物として動物（ペットなど）が含まれてもよい。
【００６３】
なお、上記の実施形態に係るロケーション通知システム１においては、外部機器として、対象通行人Ｌの保護者やドアベルが設置された住居の居住者に関連付けられた情報端末３を例示し、ドアベル２は、当該情報端末３と無線通信可能なＷｉｆｉドアベルとして構成されているが、この例に限られない。例えば、外部機器として、ドアベル２が設置された住宅の居室内に設けられた居室親機を含んでもよい。すなわち、ドアベル２は、例えば、またはインターホン回線を介して居室親機と通信可能なドアベルとして構成されてもよい。
【符号の説明】
【００６４】
１：ロケーション通知システム、２：ドアベル、３：情報端末（第一外部機器、第二外部機器の一例）、４：サーバ、５：ＩＣタグ（送信器の一例）、２１：制御部、２２：操作部、２３：マイク、２４：スピーカ、２５：人感センサ、２６：カメラ、２７：画像処理部、２８：位置情報取得部、２９：タグ情報読取部（読取装置の一例）、３０：インターフェース回路、３１：表示部、３２：ユーザ・インターフェース、３４：画像表示部、３６：応答許可受付部、３８：録画受付部、４０：記憶部、４２：制御部、Ｎ：ネットワーク、Ｌ：対象通行人（対象者の一例）、ＣＰ：対象通行人の現在位置、ＴＰ：対象通行人の移動経路、Ｔ１，Ｔ２：移動経路の各地点の通過時刻
【図１】
2019144952.tif 000003
【図２】
2019144952.tif 000004
【図３】
2019144952.tif 000005
【図４】
2019144952.tif 000006
【図５】
2019144952.tif 000007
【図６】
2019144952.tif 000008